(57)【特許請求の範囲】
【請求項１】
第１基地局（１００）を無線機器（１０２）との無線アップリンク通信接続のための受信基地局として動作させる方法であって、
前記無線機器との前記無線アップリンク通信を制御するステップと、
前記無線機器から第１の信号（１２７）を受信するステップと、
少なくとも１つの第２基地局（１０４）からレスト信号（１２６）を受信するステップと、
第１のしきい値を超える前記無線機器からの第２の信号（１２９）を検出するために、前記少なくとも１つの第２基地局からの前記レスト信号を分析するステップと、
前記第２の信号（１２９）が第２のしきい値を超えるかどうかを検出するために前記レスト信号を分析するステップであって、前記第２のしきい値は前記第１のしきい値より大きい、ステップとを具備し、
前記第２の信号（１２９）が前記第２のしきい値を超える場合に、前記無線機器との無線アップリンク通信の制御が前記少なくとも１つの第２基地局へ移行され、前記第２の信号（１２９）が前記第２のしきい値を超えない場合に、前記少なくとも１つの第２基地局が前記無線機器との協調マルチポイント無線アップリンク通信に追加される、方法。
【請求項２】
前記少なくとも１つの第２基地局からの前記レスト信号が、前記第１のしきい値を超える前記無線機器からの前記第２の信号を含み、前記第１基地局が、前記無線機器との前記アップリンク通信接続のために前記第２の信号を利用する、請求項１に記載の方法。
【請求項３】
前記レスト信号が、前記第２のしきい値を超える前記無線機器からの信号を含み、前記第１基地局が、前記無線機器との前記無線アップリンク通信接続の前記制御を前記少なくとも１つの第２基地局のうちの１つに移行することを決定して移行要求メッセージ（１５７）を前記少なくとも１つの第２基地局のうちの前記１つに送信する、請求項１または２に記載の方法。
【請求項４】
前記少なくとも１つの第２基地局からの前記レスト信号が、前記第１のしきい値を超える前記無線機器からの信号を含まず、前記第１基地局が、前記無線機器との前記アップリンク通信接続のために前記少なくとも１つの第２基地局からの前記レスト信号を無視することを決定する、請求項１に記載の方法。
【請求項５】
前記第１基地局が、前記無線機器との協調マルチポイント無線アップリンク通信の一部であり、前記第１基地局または中央ネットワーク要素が、前記無線機器との前記協調マルチポイント無線アップリンク通信に前記少なくとも１つの第２基地局のうちの１つが追加されるかどうかを決定して、前記少なくとも１つの第２基地局のうちの前記１つに追加要求メッセージ（１５９）を送信する、請求項１乃至４のいずれか１項に記載の方法。
【請求項６】
前記第１基地局または前記中央ネットワーク要素が、前記移行要求メッセージが前記少なくとも１つの第２基地局のうちの前記１つに送信され、前記無線機器との前記無線アップリンク通信の前記制御が前記少なくとも１つの第２基地局のうちの１つに移行されたかどうかを決定する、請求項５に記載の方法。
【請求項７】
請求項１乃至６のいずれか１項に記載の方法を基地局で実行するための機械実行可能命令を備える、コンピュータ・プログラム製品。
【請求項８】
少なくとも１つの無線機器との無線アップリンク通信を制御する第１基地局にレスト信号を提供するために、前記少なくとも１つの無線機器からの信号を処理するために第２基地局を動作させる方法であって、
前記レスト信号は、前記少なくとも１つの無線機器からの第１のしきい値を超える第２の信号（１２９）を検出するために、前記第１基地局により分析され、
前記レスト信号は、前記第２の信号（１２９）が第２のしきい値を超えるかどうかを検出するために、前記第１基地局によりさらに分析され、前記第２のしきい値は前記第１のしきい値より大きく、
前記第２の信号（１２９）が前記第２のしきい値を超える場合に、前記無線機器との無線アップリンク通信の制御が前記少なくとも１つの第２基地局へ移行され、前記第２の信号（１２９）が前記第２のしきい値を超えない場合に、前記少なくとも１つの第２基地局が前記無線機器との協調マルチポイント無線アップリンク通信に追加される、方法。
【請求項９】
前記第２基地局からの前記レスト信号が、前記第１基地局によって制御された無線アップリンク通信接続を介して前記第１基地局に接続された無線機器からの前記第１のしきい値を超える信号を含む、請求項８に記載の方法。
【請求項１０】
前記第２基地局が前記第１基地局から移行要求メッセージを受信して、前記無線機器との前記無線アップリンク通信接続の前記制御が前記第２基地局に移行される、請求項９に記載の方法。
【請求項１１】
前記第２基地局からの前記レスト信号が、前記第１基地局によって制御された無線アップリンク通信接続を介して前記第１基地局に接続された無線機器からの前記第１のしきい値を超える信号を含まない、請求項８に記載の方法。
【請求項１２】
前記第１基地局が前記無線機器との協調マルチポイント無線アップリンク通信の一部であり、前記第２基地局が前記第１基地局または中央ネットワーク要素によって前記無線機器との前記協調マルチポイント無線アップリンク通信に追加され得る、請求項８乃至１１のいずれか１項に記載の方法。
【請求項１３】
前記第２基地局が前記第１基地局または前記中央ネットワーク要素から移行要求メッセージを受信して、前記無線機器との前記無線アップリンク通信の前記制御が前記第２基地局に移行される、請求項１２に記載の方法。
【請求項１４】
請求項８乃至１３のいずれか１項に記載の方法を基地局で実行するための機械実行可能命令を備える、コンピュータ・プログラム製品。
【請求項１５】
請求項１乃至６のいずれか１項に記載の方法、および／または請求項８乃至１３のいずれか１項に記載の方法を実行するために動作可能である、基地局装置（１４０）。
【発明の詳細な説明】
【背景技術】
【０００１】
一般に、無線通信ネットワークの基地局は異なる種類の信号を受信する。基地局と通信している無線機器がその基地局に信号を送信し、基地局によって信号が処理される。それぞれの基地局は、他の基地局と通信する他の無線機器からノイズおよび干渉信号も受信する。無線機器との無線通信のために、基地局によって干渉およびノイズは除去される。
【０００２】
たとえば、無線機器が第２基地局との接続も可能である領域に位置している間にその無線機器が第１基地局に接続されると、第２基地局は無線機器から高い干渉信号を受信し、その干渉信号は第２基地局の信号処理装置によって除去される。
【先行技術文献】
【非特許文献】
【０００３】
【非特許文献１】３ＧＰＰ（ｔｈｉｒｄ  ｇｅｎｅｒａｔｉｏｎ  ｐａｒｔｎｅｒｓｈｉｐ  ｐｒｏｊｅｃｔ）ｓｐｅｃｉｆｉｃａｔｉｏｎ  ＴＲ３６．８１４  Ｖ０．４．１（２００９−０２）
【非特許文献２】ＩＥＥＥ  ８０２．１６ｅ−２００５
【発明の概要】
【発明が解決しようとする課題】
【０００４】
本発明の実施形態は、第１基地局を動作させる方法、第１基地局を動作させるためのコンピュータ・プログラム製品、第２基地局を動作させる方法、第２基地局を動作させるためのコンピュータ・プログラム製品、および独立クレームに記載の方法を実行するために動作可能な基地局装置を提供する。本発明の実施形態は、従属クレームに記載する。
【０００５】
本発明の目的は、無線通信ネットワークにおける無線機器のアップリンク通信を改善することである。この目的のために、無線機器の無線アップリンク通信は、無線機器から信号を受信する第１基地局によって制御される。無線通信ネットワークの他の第２基地局のうちの少なくとも１つが、無線機器から干渉信号、および何らかのノイズをさらに受信する。干渉信号およびノイズはレスト信号（ｒｅｓｔ  ｓｉｇｎａｌ）と呼ばれる。このレスト信号は、少なくとも１つの第２基地局から、無線機器とのアップリンク通信接続を制御する第１基地局によって受信される。第１基地局は、接続が第１基地局によって制御される無線機器の干渉信号を検出するために、少なくとも１つの第２基地局からのレスト信号を分析する。レスト信号は、ノイズを除去して、干渉をアップリンク通信データのソースとして使用することによって、無線機器との無線アップリンク通信接続を改善するために使用される。
【課題を解決するための手段】
【０００６】
本発明の実施形態では、無線機器との無線アップリンク通信接続を制御する第１基地局は、レスト信号内の無線機器の信号強度を決定するために、およびレスト信号がしきい値Ａを超える無線機器からの信号を含む場合は無線アップリンク通信接続のために、少なくとも１つの第２基地局のレスト信号を利用する。
【０００７】
しきい値Ａは、信号強度の最低レベルを決定するために使用されるように固定できる。この最低レベルを下回ると、無線機器との無線アップリンク通信接続のためにレスト信号を考慮することは好都合ではない。
【０００８】
好都合なことに、しきい値Ａには動的な特性がある。たとえば、しきい値Ａを無線機器と第１基地局との間の無線アップリンク通信接続の信号レベルに合わせることができる。
【０００９】
好都合なことに、しきい値Ａは差動的に定義される。少なくとも１つの第２基地局のうちの１つから第１基地局に送信されたレスト信号内の無線機器の信号強度の差動測定により、レスト信号内の無線機器の信号強度の変化の測定がもたらされる。信号強度の差動測定についての差動しきい値Ａを定義する際、レスト信号が無線アップリンク通信接続のために第１基地局によって使用されるかどうかの決定は、信号強度の変化に基づく。外挿アルゴリズムを使用することによって、レスト信号内の無線機器の信号の強度がどのように上がるかが考えられる。これは、あらかじめ定義されたグレード内で信号強度が上がることが考えられる場合は無線アップリンク通信接続のためにレスト信号を利用できること、およびあらかじめ定義されたグレード内で信号強度が弱くなることが考えられる場合はレスト信号を無視できることを意味する。
【００１０】
本発明の実施形態では、レスト信号は、接続が第１基地局によって制御される無線機器からの一定のしきい値Ａを超える信号を含み、第１基地局が無線機器との無線アップリンク通信接続の制御を少なくとも１つの第２基地局のうちの１つに移行することを決定する。この目的のために、第１基地局は、無線アップリンク通信接続の制御が移行されるべき少なくとも１つの第２基地局のうちの１つに移行要求メッセージを送信する。無線機器との無線アップリンク通信接続の制御が第２基地局に移行されるかどうかの決定は、少なくとも１つの第２基地局から第１基地局によって受信されるレスト信号に基づく。無線アップリンク通信接続の制御の移行は、たとえばハンドオーバ処理または高速セル選択によって行うことができる。
【００１１】
本発明の実施形態では、第１基地局は、無線機器とのアップリンク通信接続のために、少なくとも１つの第２基地局からのレスト信号を無視する。この決定は、たとえば第１基地局がレスト信号を分析して、一定のしきい値Ａを超える信号がないことを検出した後に行うことができる。
【００１２】
本発明は、ＬＴＥ（ロング・ターム・エボリューション）ａｄｖａｎｃｅｄの有力候補である協調マルチポイント（ＣｏＭＰ）受信スキームで使用されることが好ましい。これについては３ＧＰＰ（第３世代パートナーシップ・プロジェクト）ｓｐｅｃｉｆｉｃａｔｉｏｎ  ＴＲ３６．８１４  Ｖ０．４．１  （２００９−０２）、およびＷｉＭＡＸ、ＩＥＥＥ  ８０２．１６ｅ−２００５を参照されたい。
【００１３】
協調マルチポイント受信（ＣｏＭＰ）ネットワークでは、無線機器との協調マルチポイント無線アップリンク通信に少なくとも１つの第２基地局のうちの１つが追加されるかどうかを第１基地局が決定する。この決定は、第１基地局ではなく、無線機器の無線アップリンク通信を制御する中央ネットワーク要素からも行うことができる。第１基地局はＣｏＭＰマスタと呼ばれ、少なくとも１つの第２基地局はＣｏＭＰスレーブと呼ばれる。
【００１４】
無線機器との無線アップリンク通信の制御を少なくとも１つの第２基地局のうちの１つに移行することが好都合になり得るように、レスト信号の分析がレスト信号は一定のしきい値Ｂを超える信号を含むことを示した後で、少なくとも１つの第２基地局のうちの１つに移行要求メッセージを送信できる。
【００１５】
好都合なことに、第１基地局と少なくとも１つの第２基地局との間の通信は、論理Ｘ２インターフェースを介して行われる。
【００１６】
他の態様では、本発明は、上述の方法のうちのいずれかを基地局で実行するための機械実行可能命令を備えるコンピュータ・プログラム製品を提供する。基地局は、コンピュータ・システム、マイクロプロセッサ、および／またはマイクロコントローラを備える。これは、上述の手順を自動化するために機械実行可能コードを使用できるので好都合である。
【００１７】
他の態様では、本発明は、少なくとも１つの無線機器からの信号を処理するために第２基地局を動作させる方法を提供する。無線機器の無線アップリンク通信接続は第２基地局によって制御されない。第２基地局は、無線機器から直接アップリンク通信信号を受信せず、無線機器からのノイズおよび干渉信号で構成されるレスト信号だけを受信する。第２基地局は、レスト信号を第１基地局に提供できる。
【００１８】
他の実施形態では、第２基地局から第１基地局に提供されたレスト信号は、第１基地局によって制御された無線アップリンク通信接続を介して第１基地局に接続された無線機器からの一定のしきい値Ａを超える信号を含む。
【００１９】
他の実施形態では、第２基地局が第１基地局から移行要求メッセージを受信して、無線機器の無線アップリンク通信接続の制御が第１基地局から第２基地局に移行される。これは、たとえばハンドオーバ手順または高速セル選択によって行うことができる。第２基地局は移行要求メッセージを拒否できる。
【００２０】
他の実施形態では、第２基地局から第１基地局に提供されたレスト信号は、無線アップリンク通信接続が第１基地局によって制御される無線機器からの一定のしきい値Ａを超える信号を含まない。一定のしきい値Ａを超える信号を含まなくても、第２基地局は第１基地局にレスト信号を提供し続けることができる。
【００２１】
他の実施形態では、第１基地局は無線機器との協調マルチポイント無線アップリンク通信の一部であり、第１基地局または中央ネットワーク要素によって無線機器との協調マルチポイント無線アップリンク通信に第２基地局を追加できる。好都合なことに、これは無線機器と第１基地局との間の無線アップリンク通信のための一定のしきい値Ａを超える信号を含むレスト信号を第２基地局が提供する時に行われる。
【００２２】
他の実施形態では、第２基地局は、第１基地局または中央ネットワーク要素から移行要求メッセージを受信して、無線機器との無線アップリンク通信の制御が第１基地局または中央ネットワーク要素から第２基地局に移行される。好都合なことに、これは第２基地局からのレスト信号が、無線通信接続のための一定のしきい値Ｂを超える信号を含むか、無線機器から第１基地局へのアップリンク通信信号と比較して他の利点を有する時に行われる。
【００２３】
他の態様では、本発明は、第１基地局にレスト信号を提供するために、少なくとも１つの無線機器からの信号を処理するために第２基地局を動作させる上述の方法を実行するための機械実行可能命令を備えるコンピュータ・プログラム製品を提供する。
【００２４】
他の態様では、本発明は、上述の方法ステップのうちのいずれかを実行するために動作可能である基地局装置を提供する。
【００２５】
好都合なことに、基地局は、少なくとも１つの第１無線機器の無線アップリンク通信接続を制御する基地局、および同時に少なくとも１つの第２無線機器のための第２基地局の役割を果たすことができる。
【００２６】
以下で、本発明の好ましい実施形態を例示としてのみ、および図面を参照して説明する。
【図面の簡単な説明】
【００２７】
【図１】第１基地局が、無線機器との無線アップリンク通信接続の協調マルチポイント受信を制御する状況を示す図である。
【図２】第２基地局における信号処理、およびそれに続く第１基地局へのレスト信号の提供を示す図である。
【図３】第１基地局における、第２基地局によって第１基地局に提供されたレスト信号の処理を示す図である。
【図４】本発明による方法を実行するために動作可能である基地局装置を示すブロック図である。
【発明を実施するための形態】
【００２８】
これらの図面において、同様の番号が付けられた要素は同一の要素であるか、同じ機能を実行する。機能が同一の場合、前に説明された要素は必ずしも後の図面で説明されない。
【００２９】
図１は、第１基地局１００が無線機器１０２の無線アップリンク通信接続を制御する状況を示している。第１基地局１００は、協調マルチポイント（ＣｏＭＰ）受信ネットワークのマスタの役割を果たす。これは、第１基地局が無線アップリンク通信を制御していることを意味する。２つの第２基地局１０４、１０６は、無線機器１０２から干渉信号を受信する。２つの第２基地局１０４、１０６は、それらのレスト信号をたとえばＣｏＭＰマスタによる要求に応じて、または定期的に第１基地局であるＣｏＭＰマスタ１００に提供する。２つの第２基地局はＣｏＭＰスレーブと呼ばれる。
【００３０】
レスト信号は、２つの第２基地局１０４、１０６の送信エリア内の無線機器からのノイズおよび干渉で構成される。レスト信号は、たとえばＸ２インターフェース１０８を介して第１基地局１００によって受信され得る。レスト信号を受信後、第１基地局１００は、第２基地局１０４、１０６のうちの１つのレスト信号内部の無線機器１０２の適切な信号レベルを検出するためにレスト信号を分析する。この分析に基づいて、第１基地局１００は、無線機器１０２のためにＣｏＭＰ受信ネットワークに第２基地局１０４、１０６のうちの１つが追加されるかどうかを決定する。ＣｏＭＰマスタの役割を果たす第１基地局１００は、信号レベルが無線機器１０２の無線アップリンク接続に利益をもたらさない場合、ＣｏＭＰ受信ネットワークから第２基地局１０４、１０６のうちの１つを除去することもできる。第２基地局１０４、１０６のうちの１つからのレスト信号内の無線機器１０２の信号が一定のしきい値Ｂを超える場合、ＣｏＭＰマスタ機能は第１基地局１００から第２基地局１０４、１０６のうちの１つに移動できる。
【００３１】
図２は、本発明の実施形態のより詳細な説明を示している。無線機器１０２の無線アップリンク通信接続は、ＣｏＭＰマスタの役割を果たす第１基地局１００によって制御される。第２基地局１０４、１０６は、接続を制御している無線機器からの信号１１０、やはり無線機器１０２からの干渉１１２、およびノイズ１１４を受信する。信号１１０、干渉１１２、およびノイズ１１４は、送信時間間隔に１度、受信機１１６によって信号バッファ１１７に送信される。受信機１１６はチャネル推定１１８を実行する。信号１１０の確認はＣＲＣチェック１２０によって行われる。ＣＲＣチェック１２０が成功すると、信号１１０からのアップリンク・データ１１１が基地局１０４で処理される。送信信号推定器１２２が、無線機器によって送信された推定送信無線信号１１３を推定する。チャネル推定１１８を利用して、受信信号推定器１２４は推定受信信号１１９を生成する。
【００３２】
正常に受信したアップリンク・データ１１１ごとに、レスト信号１２６が干渉およびノイズで構成されるように、信号１１０、干渉１１２、およびノイズ１１４で構成される信号バッファ１１７内でバッファされた信号から推定受信信号１１９が除去される。レスト信号１２６は、信号バッファ１１７内で再びバッファされ、次いで、たとえばＸ２インターフェース１０８を介して第１基地局１００に送信される。
【００３３】
同じ手順が、信号データ１１０、干渉１１２、およびノイズ１１４をやはり受信する第２基地局１０６で行われる。データは、第２基地局１０４と同じ方法で処理される。レスト信号１２６は、たとえばＸ２インターフェース１０８を介して第１基地局１００に送信される。
【００３４】
図３は、第１基地局１００における処理を示す流れ図である。第１基地局１００は、接続を制御している無線機器からの信号１２７、干渉１１２、およびノイズ１１４を受信機１１６で受信する。受信機１１６はチャネル推定１１８を実行する。信号の確認はＣＲＣチェック１２０によって行われる。ＣＲＣチェックが成功すると、信号１２７からのアップリンク・データ１３１が第１基地局１００で処理される。送信信号推定器１２２は送信無線信号１３３を推定する。
【００３５】
レスト信号１２６は信号バッファ１２８でバッファされる。無線機器１０２の信号１３３を知ることによって、レスト信号１２６の内部の無線機器１０２の信号１２９を識別できるようになる。レスト信号１２６の分析１３０は、接続が第１基地局１００によって制御されている無線機器１０２から正常に受信したアップリンク・データ１３１ごとに１度行われる。第２基地局１０４のレスト信号１２６の内部の無線機器１０２の信号１２９が一定のしきい値Ａを超えない場合、無線機器１０２用のＣｏＭＰネットワークに第２基地局１０４を追加しない手順１３２がトリガされる。次いで、第１基地局１００は次の無線機器のために信号の分析を続ける。
【００３６】
レスト信号１２６の内部の無線機器１０２の信号１２９がしきい値Ａを超える場合、第２分析１３４が実行されて、レスト信号１２６の内部の信号が一定のしきい値Ｂを超えるかどうかを検出する。一定のしきい値Ｂを超える場合、無線機器１０２との無線アップリンク通信の制御を第２基地局１０４に移行するための手順１３６がトリガされる。
【００３７】
第２基地局が無線機器の制御の移行を拒否すると、レスト信号を第１基地局１００に定期的に提供するためのスレーブとして第２基地局１０４をＣｏＭＰネットワークに追加するために手順１３８が開始される。
【００３８】
レスト信号１２６の内部の無線機器１０２の信号１２９がしきい値Ｂを超えない場合、レスト信号を第１基地局１００に定期的に提供するためのスレーブとして第２基地局１０４をＣｏＭＰネットワークに追加するために手順１３８が開始される。
【００３９】
しきい値ＡおよびＢは、受信した信号強度の変更が決定の基礎となるように固定値でもよく、また動的な特性を有してもよいし、差動特性を有してもよい。
【００４０】
図４は、本発明による方法を実行するために動作可能である基地局装置１４０を示すブロック図である。たとえば、これは基地局装置が第１の複数の無線機器のＣｏＭＰマスタの役割、および同時に第２の複数の無線機器のＣｏＭＰスレーブの役割を果たすことができる、ＣｏＭＰネットワーク内である場合がある。
【００４１】
受信機１１６は、第１の複数の無線機器１１０の信号、干渉１１２、およびノイズ１１４を受信する。第１の複数の無線機器１１０の信号、干渉１１２、およびノイズ１１４は、ともに信号１１５を形成する。干渉１１２内に第２の複数の無線機器からの信号がある。
【００４２】
信号１１５は、送信時間間隔に１度、受信機１１６によって信号バッファ１４１に送信される。受信機１１６はチャネル推定１１８を実行する。アップリンク・データの確認はＣＲＣチェック１２０によって行われる。ＣＲＣチェック１２０が成功すると、信号１１０からのアップリンク・データ１１１がアップリンク・データ１４２を処理するための手段によって処理される。送信信号推定器１２２が、このアップリンク・データ１１１についての送信無線信号１１３を推定する。この推定信号１１３から、受信信号推定器１２４で、受信機１１６で行われたチャネル推定１１８を利用して推定受信信号１１９が推定され得る。
【００４３】
受信信号１１０ごとに、レスト信号１２６が干渉およびノイズで構成されるように、信号１１０、干渉１１２、およびノイズ１１４で構成される信号バッファ１４１でバッファされた信号から減算器１４４によって信号１１０が除去される。レスト信号１２６は、信号バッファ１４１で再びバッファされ、次いでＸ２インターフェース１０８を介してレスト信号１２６を別の基地局装置に送信するための手段によって送信される。
【００４４】
別の基地局装置から受信したレスト信号１４８は、信号バッファ１４１でバッファされる。第１の複数の無線機器の信号１１０を知ることによって、別の基地局装置から受信したレスト信号１４８内で、第１の複数の無線機器に適した信号を識別できるようになる。しきい値Ａ１５０に関してレスト信号を分析するための手段が、対応する無線機器によって送信されるべきと推定される信号ごとに１度レスト信号１４８を分析する。レスト信号１４８の内部の第１の複数の無線機器のうちの無線機器に適した信号がしきい値Ａを超えない場合、手段１５２は第２基地局をＣｏＭＰネットワークに追加しないための手順を実行する。次いで、基地局装置１４０は次の無線機器のために信号の分析を続ける。
【００４５】
レスト信号１４８の内部の第１の複数の無線機器のうちの無線機器に適した信号がしきい値Ａを超える場合、手段１５４はしきい値Ｂに関してレスト信号１４８を分析する。レスト信号１４８がしきい値Ｂを超える場合、マスタを変更するための手順を実行するための手段１５６が、Ｘ２インターフェース１０８を介してレスト信号１４８を送信したＣｏＭＰスレーブに移行要求メッセージ１５７を送信する。
【００４６】
第２基地局が無線機器の制御の移行を拒否すると、手段１５８はレスト信号１４８をＣｏＭＰネットワークに送信した基地局をＣｏＭＰスレーブとして追加するための手順を実行する。追加は、追加要求メッセージ１５９によって、Ｘ２インターフェース１０８を介して行われる。
【００４７】
レスト信号１４８の内部の適した信号がしきい値Ｂを超えない場合、手段１５８はレスト信号１４８をＣｏＭＰネットワークに送信した基地局をＣｏＭＰスレーブとして追加するための手順を実行する。追加は、追加要求メッセージ１５９によって、Ｘ２インターフェース１０８を介して行われる。
【００４８】
しきい値ＡおよびＢは、受信した信号強度の変更が決定の基礎となるように固定値でもよく、また動的な特性を有してもよいし、差動特性を有してもよい。
【符号の説明】
【００４９】
１００  第１基地局
１０２  無線機器
１０４  第２基地局
１０６  第２基地局
１０８  Ｘ２インターフェース
１１０  他の無線機器の信号
１１１  他の無線機器の信号のアップリンク・データ
１１２  干渉
１１３  無線機器の推定送信信号
１１４  ノイズ
１１５  他の無線機器の信号＋干渉＋ノイズ
１１６  受信機
１１７  第２基地局の信号バッファ
１１８  チャネル推定
１１９  無線機器の推定受信信号
１２０  ＣＲＣチェック
１２２  送信信号推定器
１２４  受信信号推定器
１２６  レスト信号
１２７  無線機器の信号
１２８  第１基地局の信号バッファ
１２９  レスト信号内部の無線機器の信号
１３０  しきい値Ａに関してのレスト信号の分析
１３１  無線機器の信号のアップリンク・データ
１３２  第２基地局をＣｏＭＰネットワークに追加しないための手順
１３３  無線機器の推定送信信号
１３４  しきい値Ｂに関してのレスト信号の分析
１３６  マスタを変更するための手順
１３８  第２基地局をＣｏＭＰネットワークに追加するための手順
１４０  基地局装置
１４１  信号バッファ
１４２  アップリンク・データを処理するための手段
１４４  減算器
１４６  レスト信号を送信するための手段
１４８  別の基地局から受信したレスト信号
１５０  しきい値Ａに関してレスト信号を分析するための手段
１５２  第２基地局をＣｏＭＰネットワークに追加しないための手順を実行するための手段
１５４  しきい値Ｂに関してレスト信号を分析するための手段
１５６  マスタを変更するための手順を実行するための手段
１５７  マスタを変更するための移行要求メッセージ
１５８  第２基地局をＣｏＭＰネットワークに追加するための手順を実行するための手段
１５９  スレーブをＣｏＭＰネットワークに追加するための追加要求メッセージ
【図１】
0005274710.tif 000002
【図２】
0005274710.tif 000003
【図３】
0005274710.tif 000004
【図４】
0005274710.tif 000005